(57)【要約】【課題】清掃部材の無駄な消費を防ぎつつ、汚れの原因となる飛散したトナーを確実に回収することができる画像形成装置を提供する。【解決手段】画像形成装置は、定着前用紙ガイド３、定着装置２および制御部５を備える。定着前用紙ガイド３は、定着装置２の上流側の近傍に配設される。定着装置２は、表面に導電性を有する加圧ローラ２３、加圧ローラ２３の表面をアースするアース機構２４、および加圧ローラ２３の表面をクリーニングするクリーニング機構２５を備える。クリーニング機構２５は、ウェブ２５１および巻取りローラ２５４を備える。制御部５は、余白無し印字設定の未設定時にウェブ２５１の巻取り量ｘを０．７ｍｍに設定し、余白無し印字設定の設定時に巻取り量ｘを２．１ｍｍに設定する。制御部５は、累積した画像形成処理枚数が１８枚以上の場合に、巻取りローラ２５４によってウェブ２５１を巻取り量ｘだけ巻取り、画像形成処理を行う。【選択図】  図５
2015018216.tif 000002
【特許請求の範囲】
【請求項１】
トナー像が転写された用紙が搬送される用紙ガイドと、
前記用紙ガイドの近傍に配設され、前記用紙ガイドを搬送される前記用紙から飛散するトナーを吸着する吸着部材と、
前記吸着部材の表面に当接して前記吸着部材の表面をクリーニングする帯状の清掃部材、および前記清掃部材を巻き取る駆動部を有するクリーニング手段と、
前記用紙の少なくとも一端部まで前記トナー像を転写して画像を形成する余白無し印字機能を有効にする余白無し印字設定を受け付ける操作部と、
前記操作部が前記余白無し印字設定を受け付けた時に、前記余白無し印字設定を受け付けない時よりも、前記清掃部材の単位時間当たりの巻取り量を多くするように前記駆動部を制御する制御部と、を備える、画像形成装置。
【請求項２】
前記吸着部材は、表面に導電性を有し、
前記吸着部材の表面と前記トナーの電位との間に電位差を形成する電位差形成手段をさらに備える請求項１に記載の画像形成装置。
【請求項３】
前記用紙ガイドの下流に、前記トナー像を前記用紙に定着させる定着装置が設けられ、前記定着装置は、定着回転部材と、該定着回転部材を加熱する熱源と、前記定着回転部材に圧接される加圧回転部材と、を備え、前記吸着部材を前記定着回転部材又は前記加圧回転部材で兼用する、請求項１に記載の画像形成装置。
【請求項４】
前記清掃部材は、前記定着回転部材の表面に当接して前記定着回転部材の表面をクリーニングする第１清掃部材又は前記加圧回転部材の表面に当接して前記加圧回転部材の表面をクリーニングする第２清掃部材の少なくとも一方を有し、
前記制御部は、前記操作部が前記余白無し印字設定を受け付けた時に、前記余白無し印字設定を受け付けない時よりも、前記第１清掃部材又は前記第２清掃部材の単位時間当たりの巻取り量を多くするように前記駆動部を制御する請求項３に記載の画像形成装置。
【請求項５】
定着回転部材と、該定着回転部材を加熱する熱源と、前記定着回転部材に圧接される加圧回転部材と、を有し、トナー像を用紙に定着させる定着装置と、
前記加圧回転部材の表面に当接して前記加圧回転部材の表面をクリーニングする帯状の清掃部材、および前記清掃部材を巻き取る駆動部を有するクリーニング手段と、
前記用紙の少なくとも搬送方向に直交する幅方向の一端部まで前記トナー像を転写して画像を形成する余白無し印字機能を有効にする余白無し印字設定を受け付ける操作部と、
前記操作部が前記余白無し印字設定を受け付けた時に、前記余白無し印字設定を受け付けない時よりも、前記清掃部材の単位時間当たりの巻取り量を多くするように前記駆動部を制御する制御部と、を備える、画像形成装置。
【請求項６】
定着回転部材と、該定着回転部材を加熱する熱源と、前記定着回転部材に圧接される加圧回転部材と、を有し、トナー像を用紙に定着させる定着装置と、
前記定着回転部材の表面に当接して前記定着回転部材の表面をクリーニングする帯状の清掃部材、および前記清掃部材を巻き取る駆動部を有するクリーニング手段と、
前記用紙の少なくとも搬送方向に直交する幅方向の一端部まで前記トナー像を転写して画像を形成する余白無し印字機能を有効にする余白無し印字設定を受け付ける操作部と、
前記操作部が前記余白無し印字設定を受け付けた時に、前記余白無し印字設定を受け付けない時よりも、前記清掃部材の単位時間当たりの巻取り量を多くするように前記駆動部を制御する制御部と、を備える、画像形成装置。
【請求項７】
前記制御部は、前記操作部が前記余白無し印字設定を受け付けた時に、前記用紙のサイズが大きいほど、前記清掃部材の単位時間当たりの巻取り量を多くするように前記駆動部を制御する請求項１〜請求項６の何れかに記載の画像形成装置。
【発明の詳細な説明】
【技術分野】
【０００１】
この発明は、用紙の画像形成領域と余白部分とにトナー像を転写して画像を形成する余白無し印字機能を有する画像形成装置に関する。
【背景技術】
【０００２】
画像形成装置には、余白部分を残して用紙の画像形成領域に画像を形成する他、用紙の画像形成領域と余白部分とに画像を形成する余白無し印字機能を有するものがある。
【０００３】
電子写真方式の画像形成装置は、トナー像を像担持体の表面に作像する作像工程、トナー像を像担持体の表面から用紙に転写する転写工程、加熱および加圧により用紙に転写されたトナー像を定着させる定着工程を経て、用紙に画像を形成する。このような画像形成装置で余白無し印字機能を実現する方法としては、作像工程で用紙の幅よりも広くトナー像を作像して、転写工程で用紙の余白部分に画像を転写する方法がある（例えば、特許文献１参照）。しかし、作像工程で用紙の幅よりも広くトナー像が作像されるため、用紙に転写されなかったトナーは、画像形成装置の内部を飛散して、用紙に付着し用紙の汚れの原因となる。このため、転写工程の後に、飛散したトナーを回収する必要がある。
【０００４】
そこで、転写工程の後で、トナーとの間に電位差が設けられた吸着部材を設け、吸着部材の表面に飛散したトナーを付着させ、吸着部材の表面からトナーを除去することで、飛散したトナーを回収することが考えられる。また、吸着部材の表面からトナーを除去する方法には、帯状の清掃部材を吸着部材の表面に当接させて、清掃部材を巻き取ることで、吸着部材の表面からトナーを除去するウェブクリーニングがある。
【先行技術文献】
【特許文献】
【０００５】
【特許文献１】特開２００９−１６９１０６号公報
【発明の概要】
【発明が解決しようとする課題】
【０００６】
しかしながら、余白無し印字機能を用いる場合と余白無し印字機能を用いない場合とでは、吸着部材の表面に付着するトナーの付着量が異なる。このため、余白無し印字機能を用いない場合には、余白無し印字機能を用いる場合に合わせてウェブクリーニングを行うと汚れていない清掃部材を巻き取ることになり、清掃部材を無断に消費する。また、余白無し印字機能を用いる場合には、余白無し印字機能を用いない場合に合わせてウェブクリーニングを行うと、汚れた清掃部材を用いて吸着部材の表面のトナーを除去しようとするため、飛散したトナーを回収することができない。
【０００７】
この発明の目的は、余白無し印字機能を用いる場合と余白無し印字機能を用いない場合とで、ウェブクリーニングにおける清掃部材を適切に消費し、用紙の汚れの原因となるトナーを確実に回収することができる電子写真方式の画像形成装置を提供することである。
【課題を解決するための手段】
【０００８】
この発明の画像形成装置は、用紙ガイド、吸着部材、クリーニング手段、操作部および制御部を備える。用紙ガイドは、トナー像が転写された用紙が搬送される。吸着部材は、用紙ガイドの近傍に配設され、用紙ガイドを搬送される用紙から飛散するトナーを吸着する。クリーニング手段は、吸着部材の表面に当接して吸着部材の表面をクリーニングする帯状の清掃部材、および清掃部材を巻き取る駆動部を有する、操作部は、用紙の少なくとも一端部までトナー像を転写して画像を形成する余白無し印字機能を有効にする余白無し印字設定を受け付ける。制御部は、操作部が余白無し印字設定を受け付けた時に、余白無し印字設定を受け付けない時よりも、清掃部材の単位時間当たりの巻取り量を多くするように駆動部を制御する。
【０００９】
用紙の少なくとも一端部までトナー像が転写された用紙が用紙ガイドを搬送される際に、用紙からトナーが飛散する。用紙から飛散したトナーを回収するために、用紙ガイドの近傍には、用紙から飛散したトナーを吸着する吸着部材が配設されている。吸着部材に吸着されたトナーは、吸着部材の表面に当接させた帯状の清掃部材をクリーニング手段によって巻き取ることで、除去される。このようにして、画像形成装置は、用紙から飛散したトナーを回収する。また、操作部が余白無し印字設定を受け付けた時に、余白無し印字設定を受け付けない時よりも、用紙からトナーが飛散するため、吸着部材の表面に付着するトナーの量が増加する。制御部は、操作部が余白無し印字設定を受け付けた時に、余白無し印字設定を受け付けない時よりも、単位時間当たりの清掃部材の巻取り量を多くするように駆動部を制御する。余白無し印字設定時には、トナーが付着して清掃部材が汚れて、吸着部材の表面からトナーを除去できなくなる前に、清掃部材を巻取らせる。また、余白無し印字設定をしない時には、吸着部材の表面からトナーを除去することができ、汚れていない清掃部材を巻き取らないようにする。
【００１０】
また、吸着部材は、表面に導電性を有する構成において吸着部材の表面とトナーの電位との間に電位差を形成する電位差形成手段をさらに備えることが好適である。
【００１１】
電位差形成手段は、トナーと吸着部材の表面との間に電位差を形成することで、用紙から飛散したトナーを吸着部材の表面に付着させる。これにより、用紙から飛散したトナーは、確実に吸着部材に吸着させられる。この結果、画像形成装置は、クリーニング手段によって吸着部材の表面からトナーを除去でき、飛散したトナーを確実に回収できる。
【００１２】
また、用紙ガイドの下流に、トナー像を用紙に定着させる定着装置が設けられる構成において、定着装置は、定着回転部材、定着回転部材を加熱する熱源、および定着回転部材に圧接される加圧回転部材を備え、吸着部材を定着回転部材又は定着回転部材で兼用することが好ましい。
【００１３】
用紙ガイドの下流には、定着装置が設けられる。定着装置として、加熱される定着回転部材と定着回転部材に圧接する加圧回転部材を備える構造を採用することで、定着回転部材又は加圧回転部材を吸着部材に兼用することができる。これにより、トナー回収装置の主要な構成要素を、画像形成プロセスに必須である定着装置を利用して実現することができる。吸着部材を別途設ける場合に比して装置コスト上昇や装置サイズ大型化を抑制できる。
【００１４】
また、清掃部材が定着回転部材の表面に当接して定着回転部材の表面をクリーニングする第１清掃部材又は加圧回転部材の表面に当接して加圧回転部材の表面をクリーニングする第２清掃部材の少なくとも一方を有する構成において、制御部は、操作部が余白無し印字設定を受け付けた時に、余白無し印字設定を受け付けない時よりも、第１清掃部材又は第２清掃部材の単位時間当たりの巻取り量を多くするように駆動部を制御することが好ましい。
【００１５】
制御部は、操作部が余白無し印字設定を受け付けた時に、余白無し印字設定を受け付けない時よりも、定着回転部材又は加圧回転部材のうち飛散したトナーを吸着しやすい方の表面に当接する清掃部材を単位時間当たりの巻取り量が多くなるようにして巻取らせる。これにより、第１清掃部材および第２清掃部材のそれぞれを定着回転部材および加圧回転部材のそれぞれの表面からトナーを除去できなくなる前に巻取らせることができる。
【００１６】
この発明の画像形成装置は、定着装置、クリーニング手段、操作部、および制御部を備える。定着装置は、定着回転部材、定着回転部材を加熱する熱源、定着回転部材に圧接される加圧回転部材を有し、トナー像を用紙に定着させる。クリーニング手段は、加圧回転部材の表面に当接して加圧回転部材の表面をクリーニングする帯状の清掃部材、および清掃部材を巻き取る駆動部を有する。操作部は、用紙の少なくとも搬送方向に直交する幅方向の一端部までトナー像を転写して画像を形成する余白無し印字機能を有効にする余白無し印字設定を受け付ける。制御部は、操作部が余白無し印字設定を受け付けた時に、余白無し印字設定を受け付けない時よりも、清掃部材の単位時間当たりの巻取り量を多くするように駆動部を制御する。
【００１７】
この構成では、操作部が余白無し印字設定を受け付けた時に、用紙の少なくとも搬送方向に直交する幅方向の一端部までトナー像が転写されるため、余白無し印字設定を受け付けない時よりも、用紙からトナーが飛散しやすい。飛散したトナーは、定着装置の加圧回転部材に付着することがある。制御部は、操作部が余白無し印字設定を受け付けた時に、余白無し印字設定を受け付けない時よりも、加圧回転部材の表面に当接して加圧回転部材の表面をクリーニングする清掃部材の単位時間当たりの巻取り量を多くする。これにより、余白無し印字設定時には、トナーが付着して清掃部材が汚れて、加圧回転部材の表面からトナーを除去できなくなる前に、清掃部材を巻取らせることができる。また、余白無し印字設定をしない時には、加圧回転部材の表面からトナーを除去することができ、汚れていない清掃部材を巻き取らないようにできる。
【００１８】
この発明の画像形成装置は、定着装置、クリーニング手段、操作部、および制御部を備える。定着装置は、定着回転部材、定着回転部材を加熱する熱源、定着回転部材に圧接される加圧回転部材を有し、トナー像を用紙に定着させる。クリーニング手段は、定着回転部材の表面に当接して定着回転部材の表面をクリーニングする帯状の清掃部材、および清掃部材を巻き取る駆動部を有する。操作部は、用紙の少なくとも搬送方向に直交する幅方向の一端部までトナー像を転写して画像を形成する余白無し印字機能を有効にする余白無し印字設定を受け付ける。制御部は、操作部が余白無し印字設定を受け付けた時に、余白無し印字設定を受け付けない時よりも、清掃部材の単位時間当たりの巻取り量を多くするように駆動部を制御する。
【００１９】
この構成では、操作部が余白無し印字設定を受け付けた時に、用紙の少なくとも搬送方向に直交する幅方向の一端部までトナー像が転写されるため、余白無し印字設定を受け付けない時よりも、用紙からトナーが飛散しやすい。飛散したトナーは、定着装置の定着回転部材に付着することがある。制御部は、操作部が余白無し印字設定を受け付けた時に、余白無し印字設定を受け付けない時よりも、定着回転部材の表面に当接して定着回転部材の表面をクリーニングする清掃部材の単位時間当たりの巻取り量を多くする。これにより、余白無し印字設定時には、トナーが付着して清掃部材が汚れて、定着回転部材の表面からトナーを除去できなくなる前に、清掃部材を巻取らせることができる。また、余白無し印字設定をしない時には、定着回転部材の表面からトナーを除去することができ、汚れていない清掃部材を巻き取らないようにできる。
【００２０】
また、制御部は、操作部が余白無し印字設定を受け付けた時に、用紙のサイズが大きいほど、清掃部材の単位時間当たりの巻取り量を多くするように駆動部を制御する。
【００２１】
余白無し印字設定時において、用紙のサイズが大きいほど、用紙の外に転写されるトナーの量が増加するため、画像形成装置の内部に飛散するトナーの量が多く、吸着部材（定着回転部材、加圧回転部材）に付着するトナーの量が多くなる。制御部は、単位時間当たりの清掃部材の巻取り量を多くするように駆動部を制御することで、吸着部材の表面からトナーをより確実に除去することができる。
【発明の効果】
【００２２】
この発明によれば、清掃部材の無駄な消費を防ぎつつ、汚れの原因となる飛散したトナーを確実に回収することができる。
【図面の簡単な説明】
【００２３】
【図１】本発明の画像形成装置（要部）の概略構成図である。
【図２】定着装置の斜視図であって、ハウジング、および定着前用紙ガイドを分離して示す図である。
【図３】加圧ローラ、および定着前用紙ガイドを搬送方向に平行な面に関する平面図である。
【図４】同画像形成装置の制御部のブロック図である。
【図５】同制御部の画像形成処理に関するフローチャートである。
【図６】他の実施形態に係る画像形成装置（要部）の概略構成図である。
【図７】他の実施形態に係る画像形成装置（要部）の概略構成図である。
【発明を実施するための形態】
【００２４】
以下、図面を参照して本発明を実施するための形態を説明する。本発明の第１の実施形態に係る画像形成装置１０Ａの要部を図１に示す。同図に現れない画像形成装置１０Ａを構成するその他の構成は公知であるため、図示および説明を省略する。本発明の画像形成装置１０Ａは、用紙の画像形成領域と余白部分とに画像を形成する余白無し印字に対応した画像形成装置である。余白無し印字では、用紙Ｐの幅を超えてトナー像を作像して、用紙Ｐの端部までトナー像を転写することで、画像が形成される。
【００２５】
図１に示すように、画像形成装置１０Ａは、用紙Ｐが搬送される用紙搬送路１００に沿って転写部１０１および定着部１０２が形成されている。
【００２６】
転写部１０１において、転写装置１によって用紙Ｐ上にトナー像が転写される。余白無し印字では、用紙の幅を超えてトナー像が作像され、転写装置１によって用紙Ｐの少なくとも一端部までトナー像が転写される。このため、用紙Ｐ上に転写されなかったトナーが飛散する。同図において符号Ｔは、トナー像を構成するトナー（粉体）を示している。
【００２７】
転写装置のタイプは問わない。本実施形態では、周回駆動される中間転写ベルト１１上に一次転写したトナー像を、周回駆動される二次転写ベルト１２によって用紙Ｐの片面に転写する。このような転写装置１の構成および動作は公知であるため詳しい説明は省略する。
【００２８】
転写部１０１では転写装置１の２つのベルト１１，１２が対向する２つのローラを介して圧接（ニップ）しており、転写部１０１を通過する用紙Ｐは両ベルト１１，１２の周回によって用紙搬送路１００を搬送され、定着部１０２に至る。
【００２９】
定着部１０２において、定着装置２によって用紙Ｐ上の未定着トナー像が定着される。転写部１０１と定着部１０２との間の用紙搬送路１００には、定着前用紙ガイド３が設置される。定着部１０２の下流側の用紙搬送路１００には、定着後用紙ガイド４が設置される。定着前用紙ガイド３は本発明の用紙ガイドの一例である。
【００３０】
本実施形態では、定着装置２は、無端ベルト２１、熱源２２、加圧ローラ２３、アース機構２４およびクリーニング機構２５を備える。
【００３１】
無端ベルト２１は、駆動ローラ２６および従動ローラ２７との間に掛け渡される。駆動ローラ２６は不図示の駆動源によって回転駆動され、これによって無端ベルト２１が周回（回転）駆動される。無端ベルト２１は本発明の定着回転部材の一例である。例えば、定着回転部材はローラでも構わない。
【００３２】
加圧ローラ２３は、定着部１０２において無端ベルト２１に圧接する。加圧ローラ２３は、不図示の圧接装置によって回転中心から定着部１０２に向かうベクトル方向に付勢された状態で回転自在に支持される。圧接装置自体は駆動源を持たないが、加圧ローラ２３は、無端ベルト２１に圧接するニップ力により、無端ベルト２１の周回に伴って従動回転する。
【００３３】
加圧ローラ２３は本発明の加圧回転部材および吸着部材の一例である。加圧ローラ２３は金属などの導体製の円筒体が好適に用いられる。あるいはこの円筒体を芯材としてその周面に、耐熱性および導電性を備える樹脂製の表層が形成された構成を採用することもできる。いずれにしても、加圧ローラ２３の表面は導電性を有することになる。
【００３４】
熱源２２は無端ベルト２１を加熱する。本実施形態では、熱源２２はメインヒータ２２１およびサブヒータ２２２から構成される。メインヒータ２２１は無端ベルト２１が掛け渡された従動ローラ２７に内蔵され、サブヒータ２２２は加圧ローラ２３に内蔵される。
【００３５】
アース機構２４は加圧ローラ２３の表面をアースする。アース機構２４によって常時アースされた加圧ローラ２３の表面には、電荷を帯びている飛散トナーＴとの間に形成された電位差によって、飛散トナーＴが静電吸着される。アース機構２４は、加圧ローラ２３の表面に接触して回転する除電ブラシなどを好適に用いることができる。アース機構は本発明の電位差形成手段の一例である。例えば、電位差形成手段は加圧ローラ２３の表面を積極的に帯電させる帯電機構でも構わない。
【００３６】
クリーニング機構２５は加圧ローラ２３の表面をクリーニングする。クリーニング機構２５は、本発明のクリーニング手段である。本実施形態では、一例として加圧ローラ２３の表面に当接するウェブ２５１を周回駆動するウェブクリーニング装置を図示している。
【００３７】
ウェブクリーニング装置は、ウェブ２５１、送り出しローラ２５２、当接ローラ２５３、および巻取りローラ２５４を備える。ウェブ２５１は、本発明の清掃部材であり、例えば、帯状の不織布である。
【００３８】
送り出しローラ２５２は、未使用のウェブ２５１を送り出す。当接ローラ２５３は、送り出しローラ２５２から送り出されたウェブ２５１を加圧ローラ２３の表面に当接させる。巻取りローラ２５４は、本発明の駆動部であり、使用済みのウェブ２５１を巻き取る。ウェブ２５１は、送り出しローラ２５２から巻取りローラ２５４に向けて、加圧ローラ２３の表面への当接面が少しずつ移動するように構成されている。このように構成することで、常にきれいな面を加圧ローラ２３の表面に接触させることができ、効率よく加圧ローラ２３の表面の汚れを拭い取ることができる。加圧ローラ２３の表面はクリーニング機構２５によってその都度クリーニングされる。したがって、飛散トナーＴの吸着部材を兼ねる加圧ローラ２３を再生して繰り返し使用することができる。
【００３９】
また、ウェブ２５１は、短手方向の長さが、印字可能な用紙の最大幅以上に構成されている。具体的に例えば、ウェブ２５１の短手方向の長さは、マージンとして、印字可能な用紙の最大幅の長さより片側に３ｃｍずつ長く形成されている。このように構成することで、余白無し印字時において、加圧ローラ２３の表面における印字可能な用紙の最大幅の外側に飛散トナーＴが付着しても、加圧ローラ２３の表面の汚れを拭い取ることができる。
【００４０】
図２に示すように、以上説明した定着装置２の各要素は、堅牢なフレーム２０を支持部材としてその内側に構成される。フレーム２０は定着装置２の定着前カバーを兼ねている。フレーム２０の定着前カバー部２０１は定着部１０２に臨む開口２０２を有する。
【００４１】
定着前用紙ガイド３は、ステンレス鋼（ＳＵＳ）等の金属部材を加工して形成される。定着前用紙ガイド３は、定着前カバー部２０１の開口２０２を介して定着前カバー部２０１の外側と内側に跨って設置される。このとき、定着前用紙ガイド３の下流端縁は、図３に示すように、加圧ローラ２３とオーバーラップしている。オーバーラップ部分である定着前用紙ガイド３の下流端部の両端に、加圧ローラ２３に向かって下向きの傾斜で突出する突出片３１が形成されている。突出片３１は、定着前用紙ガイド３の端部の加圧ローラ２３に向けて傾斜するため、飛散トナーＴを加圧ローラ２３の端部に積極的に導く。こうして飛散トナーＴは加圧ローラ２３の表面の端部に確実に導かれ、クリーニング機構２５によって確実に回収される。
【００４２】
定着前用紙ガイド３は、図３に示すように、印字可能な用紙の最大幅よりも短い幅に設定される。転写部１０１において少なくとも一端部までトナー像が転写された用紙Ｐは、定着前用紙ガイド３を搬送される際に、衝撃や振動などによってトナーが飛散する。特に、用紙の搬送方向に直交する幅方向の少なくとも一端部までトナー像が転写された用紙Ｐは、衝撃や振動などによってトナーが飛散しやすい。定着前用紙ガイド３の幅が印字可能な用紙の最大幅よりも短い幅寸法に設定されるため、用紙Ｐから飛散したトナーは、定着前用紙ガイド３の端部に付着することが抑制される。また、上記のように定着前用紙ガイド３の下流端縁が加圧ローラ２３にオーバーラップしている場合であっても、加圧ローラ２３の表面の両端部は、定着前用紙ガイド３に覆われることなく用紙搬送路１００の空間に露出することになる。
【００４３】
画像形成装置１０Ａの制御部５は、ＣＰＵ５１、ＲＯＭ５２およびＲＡＭ５３から構成され、操作部６、記憶部７、カウンタｎおよびドライバ５４に接続されている。
【００４４】
ＣＰＵ５１は、ＲＯＭ５２に記録された制御プログラムを読みだし、ＲＡＭ５３をワーキングエリアとして活用して、当該制御プログラムを実行する。
【００４５】
操作部６は、画像形成処理における各種設定、画像形成処理の開始指示等を受け付ける。画像形成処理における各種設定は、余白無し印字機能を有効にする余白無し印字設定を含む。
【００４６】
記憶部７は、巻取り量ｘと、係数αと、所定値Ｎと、を記憶する。巻取り量ｘは、余白無し印字設定をしない時における、所定枚数の画像形成処理当たりにウェブ２５１を巻き取る巻取り量であり、０．７ｍｍが設定されている。係数αは、余白無し印字設定をする時における、余白無し印字設定をしない時の巻取り量ｘに対する倍率であり、３が設定されている。所定値Ｎは、ウェブ２５１を巻き取るタイミングである画像形成処理枚数の値であり、１８が設定されている。
【００４７】
カウンタｎは、画像形成処理枚数をカウントする。
【００４８】
制御部５は、ウェブ２５１を巻き取る所定のタイミングで、ドライバ５４へ駆動データを出力する。ドライバ５４は、駆動データに基づいて、回転自在なモータＭに対して選択的に電力供給を行う。モータＭは、巻取りローラ２５４に接続されている。
【００４９】
また、制御部５は、操作部６が画像形成処理の開始指示を受け付けると、画像形成処理を行う。図５に示すように、制御部５は、操作部６から画像形成処理の開始指示が入力されるまで待つ（Ｓ１１）。制御部５は、画像形成処理の開始指示が入力されると、余白無し印字設定が設定されているか判断する（Ｓ１２）。制御部５は、余白無し印字設定が設定されていない場合に、記憶部７の記憶内容を参照して、ウェブ２５１の巻取り量ｘをＸ（＝０．７ｍｍ）に設定して（Ｓ１３）、画像形成処理枚数を示すカウンタｎを１カウントアップする（Ｓ１５）。制御部５は、カウンタｎが所定値Ｎ（＝１８）未満か否かを判断する（Ｓ１６）。制御部５は、カウンタｎが所定値Ｎ未満の場合に、画像形成処理を実行する（Ｓ１７）。
【００５０】
また、制御部５は、カウンタｎが所定値Ｎ以上の場合に、ウェブ２５１の巻取り量ｘだけ、巻取りローラ２５４によってウェブ２５１を巻き取って（Ｓ１８）、カウンタｎの値をリセットし（Ｓ１９）、画像形成処理を実行する（Ｓ１７）。
【００５１】
また、Ｓ１２の処理において余白無し印字設定が設定されている場合に、制御部５は、記憶部７の記憶内容を参照して、ウェブ２５１の巻取り量ｘをαＸ（＝３×０．７＝２．１ｍｍ）に設定して（Ｓ１４）、Ｓ１５の処理へ進む。
【００５２】
以上のように、制御部５は、余白無し印字設定を設定した場合に、トナーが飛散するため、余白無し印字設定を設定しない場合よりもウェブ２５１の巻取り量を３倍にしている。これにより、余白無し印字設定を設定した時には、加圧ローラ２３の表面からトナーを除去できなくなる前にウェブ２５１を巻き取ることができ、加圧ローラ２３の表面から確実にトナーを除去することができ、余白無し印字設定を設定しない時には、加圧ローラ２３の表面からトナーを除去することができ、汚れていないウェブ２５１を巻き取らないようにする。この結果、ウェブ２５１の無駄な消費を防ぐとともに、飛散したトナーを確実に回収することができる。
【００５３】
なお、上述の実施例では、制御部５は、累積した画像形成処理枚数が１８枚以上になると、余白無し印字設定を設定した場合にウェブ２５１を２．１ｍｍ巻取り、余白無し印字設定を設定しない場合にウェブ２５１を０．７ｍｍ巻き取った。しかし、余白無し印字設定を設定した場合に、余白無し印字設定を設定しない場合よりも、単位時間当たりのウェブ２５１の巻取り量を３倍にすればよい。例えば、制御部５は、余白無し印字設定を設定した場合に、累積した画像形成処理枚数が１８枚以上になると、ウェブ２５１を０．７ｍｍ巻取り、余白無し印字設定を設定しない場合では、累積した画像形成処理枚数が６枚以上になると、ウェブ２５１を０．７ｍｍ巻き取ってもよい。
【００５４】
なお、定着装置２は、加圧ローラ２３に代えて、複数のローラに張架されたベルトを備え、当該ベルトによって無端ベルト２１を圧接してもよい。
【００５５】
第２の実施形態に係る画像形成装置は、余白無し印字設定時において、用紙Ｐのサイズに応じて単位時間当たりのウェブ２５１の巻取り量を変更する点で、第１の実施形態に係る画像形成装置と相違する。制御部５は、用紙Ｐのサイズが大きくなるほど、飛散するトナーの量が大きくなるため、単位時間当たりのウェブ２５１の巻取り量が多くなるようにする。
【００５６】
例えば、余白無し印字設定をしない時に、用紙Ｐのサイズに関係なく、係数αに１を設定する。そして、余白無し印字設定時において、Ａ４サイズの用紙Ｐの場合は、係数αに３を設定し、Ｂ５サイズの用紙Ｐの場合は、係数αに２を設定することで、用紙Ｐのサイズに応じて１回当たりのウェブ２５１の巻取り量ｘを変更する。用紙Ｐのサイズが大きくなるほど、１回当たりのウェブ２５１の巻取り量ｘが多くなるように係数αの値を設定すればよい。
【００５７】
また、例えば、余白無し印字設定をしない時に、用紙Ｐのサイズに関係なく、累積した画像形成処理枚数が１８枚以上になるとウェブ２５１を０．７ｍｍ巻取る。そして、余白無し印字設定時において、Ａ４サイズの用紙Ｐの場合は、累積した画像形成処理枚数が６枚以上になると、ウェブ２５１を０．７ｍｍ巻取り、Ｂ５サイズの用紙Ｐの場合は、累積した画像形成処理枚数が９枚以上になると、ウェブ２５１を０．７ｍｍ巻取ることで、１回当たりのウェブ２５１の巻取り量ｘを一定にし、用紙Ｐのサイズに応じてウェブ２５１を巻取るタイミングを変更する。用紙Ｐのサイズが大きくなるほど、ウェブ２５１の巻取りタイミングを早くすればよい。
【００５８】
第３の実施形態に係る画像形成装置１０Ｂは、クリーニング機構２５によって無端ベルト２１の表面をクリーニングする。
【００５９】
図６に示すように、当接ローラ２５３は、送り出しローラ２５２から送り出されたウェブ２５１を無端ベルト２１の表面に当接させる。ウェブ２５１は、送り出しローラ２５２から巻取りローラ２５４に向けて、無端ベルト２１の表面への当接面が少しずつ移動するように構成されている。無端ベルト２１は、本発明の吸着部材の一例である。
【００６０】
また、図５に示すように、制御部５は、操作部６が画像形成処理の開始指示を受け付けると、余白無し印字設定を設定した場合に、トナーが飛散するため、余白無し印字設定を設定しない場合よりもウェブ２５１の単位時間当たりの巻取り量を３倍にして、画像形成処理を行う。これにより、余白無し印字設定を設定した時には、無端ベルト２１の表面からトナーを除去できなくなる前にウェブ２５１を巻き取ることができ、無端ベルト２１の表面から確実にトナーを除去することができる。また、余白無し印字設定を設定しない時には、無端ベルト２１の表面からトナーを除去することができ、汚れていないウェブ２５１を巻き取らないようにすることができる。この結果、画像形成装置１０Ｂは、ウェブ２５１の無駄な消費を防ぐとともに、飛散したトナーを確実に回収することができる。
【００６１】
第４の実施形態に係る画像形成装置１０Ｃは、無端ベルト２１の表面をクリーニングするクリーニング機構２８を備える。
【００６２】
図７に示すように、クリーニング機構２８は、クリーニング機構２５と同一の構成からなり、無端ベルト２１の表面をクリーニングする。これにより、加圧ローラ２３に静電吸着されずに無端ベルト２１に付着した飛散トナーＴについても確実に回収することができる。本発明のウェブ２５１，ウェブ２８１はそれぞれ第１清掃部材、第２清掃部材の一例である。
【００６３】
また、画像形成処理において、図５に示すように、Ｓ１２の処理において余白無し印字設定が設定されていない場合に、制御部５は、記憶部７の記憶内容を参照して、ウェブ２５１，２８１の巻取り量ｘをＸ（＝０．７ｍｍ）に設定する（Ｓ１３）。また、Ｓ１２の処理において余白無し印字設定が設定されている場合に、制御部５は、記憶部７の記憶内容を参照して、ウェブ２５１，２８１の巻取り量ｘをαＸ（＝３×０．７＝２．１ｍｍ）に設定する（Ｓ１４）。
【００６４】
以上のように、制御部５は、余白無し印字設定を設定した場合に、トナーが飛散するため、余白無し印字設定を設定しない場合よりもウェブ２５１，２８１の単位時間当たりの巻取り量を３倍にしている。これにより、余白無し印字設定を設定した時には、加圧ローラ２３および無端ベルト２１の表面からトナーを除去できなくなる前にウェブ２５１，２８１を巻き取ることができ、加圧ローラ２３および無端ベルト２１の表面から確実にトナーを除去することができる。また、余白無し印字設定を設定しない時には、加圧ローラ２３および無端ベルト２１の表面からトナーを除去することができ、汚れていないウェブ２５１，２８１を巻き取らないようにすることができる。この結果、画像形成装置１０Ｃは、ウェブ２５１，２８１の無駄な消費を防ぐとともに、飛散したトナーを確実に回収することができる。
【００６５】
なお、ウェブ２８１の単位時間当たりの巻取り量ｘは、無端ベルト２１に付着する飛散トナーＴの量が加圧ローラ２３に吸着される飛散トナーＴの量よりも少ないため、ウェブ２５１の単位時間当たりの巻取り量ｘよりも少なくしてもよい。このように構成することで、ウェブ２５１，２８１の単位時間当たりの巻取り量を同じにするよりも、ウェブ２８１の無駄な消費を防ぐことができる。
【００６６】
また、制御部５は、余白無し印字設定を設定した場合に、余白無し印字を設定しない場合よりもウェブ２５１，２８１の単位時間当たりの巻取り量ｘを３倍にしたが、無端ベルト２１に付着する飛散トナーＴの量が加圧ローラ２３に吸着される飛散トナーＴの量よりも少ないため、ウェブ２５１の単位時間当たりの巻取り量ｘのみを３倍にしてもよい。このように構成することで、ウェブ２５１，２８１の単位時間当たりの巻取り量をそれぞれ３倍するよりも、ウェブ２８１の無駄な消費を防ぐことができる。
【００６７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６８】
１０Ａ~１０Ｃ…画像形成装置
３…定着前用紙ガイド
２１…無端ベルト
２３…加圧ローラ
２４…アース機構
２５，２８…クリーニング機構
２５１，２８１…ウェブ
５…制御部
６…操作部
【図１】
2015018216.tif 000003
【図２】
2015018216.tif 000004
【図３】
2015018216.tif 000005
【図４】
2015018216.tif 000006
【図５】
2015018216.tif 000007
【図６】
2015018216.tif 000008
【図７】
2015018216.tif 000009